(57)【要約】      （修正有）【課題】安価なヒーリングライトを提供する。【解決手段】台座と１０、そのほぼ中央から鉛直に立つ支柱１１と、その上部に設けた向きを自在に調節可能なフレキシブルチューブ１２と、その先端に設けたランプ受け１３と、それに取り付けた電球型白色ランプ１４と、それを保護するとともに光を照射口方向に導くランプカバー１５と、ランプの先端にじかに接触する絵柄フィルタ１６と、ランプカバー１５の照射口前面を覆い着脱自在に設けられたカラーフィルタ１７と、ランプの電源を供給する電源コードとからなる。絵柄フィルタ１６、カラーフィルタ１７はそれぞれ複数設け、交換が容易である。気分転換を欲する場所、リラックスを欲する場所、睡眠への導入を必要とする場所などに設置可能である。また、病気の治療への応用の可能性がある。【選択図】図２
0003146790.tif 000002
【実用新案登録請求の範囲】
【請求項１】
床に設置される台座と、該台座のほぼ中央から鉛直に立つ支柱と、該支柱の上部に設けた向きを自在に調節可能なフレキシブルチューブと、該フレキシブルチューブの先端に設けたランプ受けと、該ランプ受けに取り付けた電球型白色ランプと、該電球型白色ランプを保護するとともに光を照射口方向に導くランプカバーと、前記電球型白色ランプの先端にじかに接触する絵柄フィルタと、前記ランプカバーの照射口前面を覆い着脱自在に設けられたカラーフィルタと、前記電球型白色ランプの電源を供給する電源コードとからなるヒーリングライト。
【請求項２】
請求項１に記載したヒーリングライトであって、前記カラーフィルタは、使用者が容易に着脱可能な固定具を用いて前記ランプカバーの照射口前面に固定され、使用者は複数のカラーフィルタのなかから所望のものを選択して用いることを特徴とするヒーリングライト。
【請求項３】
請求項１に記載したヒーリングライトであって、前記絵柄フィルタは、耐熱性プレートからなり、絵柄部分がスリットとして構成されることを特徴とするヒーリングライト。
【請求項４】
請求項１に記載したヒーリングライトであって、前記絵柄フィルタは、前記電球型白色ランプの先端にかぶせる固定部材を有しており、前記電球型白色ランプに着脱自在であることを特徴とするヒーリングライト。
【請求項５】
請求項４に記載したヒーリングライトであって、前記絵柄フィルタは、複数設けられ、使用者は所望のものを選択して用いることを特徴とするヒーリングライト。
【請求項６】
請求項４に記載したヒーリングライトであって、前記電球型白色ランプは、市販のものを用いており、使用者が必要に応じて交換できることを特徴とするヒーリングライト。
【請求項７】
請求項１，２，３，４，５又は６のいずれか一に記載したヒーリングライトであって、前記ランプ受けの近傍に前記電球型白色ランプに電源を供給するオンオフスイッチを設けたことを特徴とするヒーリングライト。
【請求項８】
請求項１，２，３，４，５又は６のいずれか一に記載したヒーリングライトであって、前記ランプ受けの近傍に前記電球型白色ランプに電源を供給するタイマスイッチを設けたことを特徴とするヒーリングライト。
【請求項９】
請求項１，２，３，４，５又は６のいずれか一に記載したヒーリングライトであって、前記電源コードは、前記フレキシブルチューブ、前記支柱、前記台座の内部を通り、前記台座から延びて家庭用コンセントに接続されることを特徴とするヒーリングライト。
【請求項１０】
請求項１，２，３，４，５又は６のいずれか一に記載したヒーリングライトであって、前記電源コードは、前記フレキシブルチューブ、前記支柱の内部を通り、前記支柱の台座に近い部分から延びて家庭用コンセントに接続されることを特徴とするヒーリングライト。
【請求項１１】
請求項１，２，３，４，５，６，７，８，９又は１０のいずれかに記載のヒーリングライトであって、前記支柱は高さを床上７０センチメートルから床上１５０センチメートルまでの間で伸縮可能なパイプにて構成されることを特徴とするヒーリングライト。
【請求項１２】
床に設置される台座と、該台座のほぼ中央から鉛直に立つ支柱と、該支柱の上部に設けた向きを自在に調節可能なフレキシブルチューブと、該フレキシブルチューブの先端に設けたランプ受けと、該ランプ受けに取り付けた電球型白色ランプと、該電球型白色ランプを保護するとともに光を照射口方向に導くランプカバーと、前記ランプカバーの照射口前面を覆い着脱自在に設けられたカラーフィルタと、該カラーフィルタの内側であって前記電球型白色ランプに近い側に取り付けた絵柄フィルタと、前記電球型白色ランプの電源を供給する電源コードとからなるヒーリングライト。
【請求項１３】
請求項１２に記載したヒーリングライトであって、前記カラーフィルタは、使用者が容易に着脱可能な固定具を用いて前記ランプカバーの照射口前面に固定され、使用者は複数のカラーフィルタのなかから所望のものを選択して用いることを特徴とするヒーリングライト。
【請求項１４】
請求項１２に記載したヒーリングライトであって、前記絵柄フィルタは、耐熱性プレートからなり、絵柄部分がスリットとして構成されることを特徴とするヒーリングライト。
【請求項１５】
請求項１２に記載したヒーリングライトであって、前記絵柄フィルタは、前記カラーフィルタに取り付ける固定部材を有しており、前記カラーフィルタに着脱自在であることを特徴とするヒーリングライト。
【請求項１６】
請求項１５に記載したヒーリングライトであって、前記絵柄フィルタは、複数設けられ、使用者は所望のものを選択して用いることを特徴とするヒーリングライト。
【請求項１７】
請求項１５に記載したヒーリングライトであって、前記電球型白色ランプは、市販のものを用いており、使用者が必要に応じて交換できることを特徴とするヒーリングライト。
【請求項１８】
請求項１２，１３，１４，１５，１６又は１７のいずれか一に記載したヒーリングライトであって、前記ランプ受けの近傍に前記電球型白色ランプに電源を供給するオンオフスイッチを設けたことを特徴とするヒーリングライト。
【請求項１９】
請求項１２，１３，１４，１５，１６又は１７のいずれか一に記載したヒーリングライトであって、前記ランプ受けの近傍に前記電球型白色ランプに電源を供給するタイマスイッチを設けたことを特徴とするヒーリングライト。
【請求項２０】
請求項１２，１３，１４，１５，１６又は１７のいずれか一に記載したヒーリングライトであって、前記電源コードは、前記フレキシブルチューブ、前記支柱、前記台座の内部を通り、前記台座から延びて家庭用コンセントに接続されることを特徴とするヒーリングライト。
【請求項２１】
請求項１２，１３，１４，１５，１６又は１７のいずれか一に記載したヒーリングライトであって、前記電源コードは、前記フレキシブルチューブ、前記支柱の内部を通り、前記支柱の台座に近い部分から延びて家庭用コンセントに接続されることを特徴とするヒーリングライト。
【請求項２２】
請求項１２，１３，１４，１５，１６，１７，１８，１９，２０又は２１のいずれかに記載のヒーリングライトであって、前記支柱は高さを床上７０センチメートルから床上１５０センチメートルまでの間で伸縮可能なパイプにて構成されることを特徴とするヒーリングライト。
【考案の詳細な説明】
【技術分野】
【０００１】
本考案は、気分転換をしたいときなどに用いるヒーリングライトに関する。
【背景技術】
【０００２】
特許文献１には、歯科用光源ユニットが開示されている。歯科用治療椅子の下部に設けた光源装置からの光をフレキシブルチユーブに導き、さらにコネクタを経て各種の照射具を着脱自在に取り付け、共通の光源装置からの光を、口腔内診察、光重合、消毒、歯茎治療などといった歯科治療の科目ごとに使い分けるものである。
【０００３】
特許文献２には、光線治療器が開示されている。灯体、ランプホルダ、キセノンランプ、反射鏡、多層膜コーティング式分光補正フィルタからなる。分光補正フィルタによって、キセノンランプから出る光の紫外線の２８０ｎｍの波長以下のエネルギーを完全にカットし、かつ２８０〜４００ｎｍの紫外線波長範囲、３８０〜７８０ｎｍの可視光線波長範囲および７８０〜２５００ｎｍの赤外線波長範囲における、基準太陽光の相対エネルギー分布に対するキセノン照明灯の光の相対エネルギー分布の比であるスペクトル合致度をそれぞれ、１００±３０％にしたものである。
【０００４】
特許文献３には、施療機用リフレッシュルームが開示されている。ボックス型の室内の適所にプログラムにしたがって雰囲気を形成するようにした面状ヒータ、酸素発生機構、ヒーリングライトなどの雰囲気形成手段を設けるとともに、プログラムにしたがって人体施療部位に対する施療動作を行う施療機を室内に設置して、雰囲気形成手段における動作のプログラムと施療機における施療動作のプログラムとを互いに対応するよう構成するものである。
【０００５】
【特許文献１】特開平１０−３３５７３号公報
【特許文献２】特開２００２−２６３２０６号公報
【特許文献３】特開２００７−２０９４７９号公報
【０００６】
ヒーリングライトまたはカラーヒーリングという概念は、アメリカ合衆国においては、ジェイコブ・リバーマン博士（眼科医）が開発したスペクトラル・レセプティブ・システム（略称ＳＲＳ）により知られている。２０色の光が発せられるものであり、１万５千人以上の人に対する身体的、心理的な治療に用いられている。「熟睡できる」、「気分が楽になる」、「強度の斜視が治った」、「乳ガンが消えた」、「視力が回復した」などの効果があるとされる。カラーヒーリングとは、色で心身の調子を整え、癒すことである。そして、ヒーリングライトとは、カラーヒーリングを実現するために用いるライトである。
【考案の開示】
【考案が解決しようとする課題】
【０００７】
上記ＳＲＳは、その装置を購入するにはおよそ７０万円を要するコストの高いものである。
【０００８】
本考案の考案者は、スタンド式であること、柄フィルタと色フィルタとをそれぞれ複数用意して使用者が適宜組み合わせることが簡単にできること、などの特徴をもたせることにより、安価なヒーリングライトができるとの天啓を得た。本考案の目的は、安価に購入でき、簡便に用いることのできるヒーリングライトを提供することにある。
【課題を解決するための手段】
【０００９】
上記課題を解決すべく、請求項１に記載した考案は、床に設置される台座と、該台座のほぼ中央から鉛直に立つ支柱と、該支柱の上部に設けた向きを自在に調節可能なフレキシブルチューブと、該フレキシブルチューブの先端に設けたランプ受けと、該ランプ受けに取り付けた電球型白色ランプと、該電球型白色ランプを保護するとともに光を照射口方向に導くランプカバーと、前記電球型白色ランプの先端にじかに接触する絵柄フィルタと、前記ランプカバーの照射口前面を覆い着脱自在に設けられたカラーフィルタと、前記電球型白色ランプの電源を供給する電源コードとからなるヒーリングライトである。
【００１０】
請求項２に記載した考案は、請求項１に記載したヒーリングライトであって、前記カラーフィルタは、使用者が容易に着脱可能な固定具を用いて前記ランプカバーの照射口前面に固定され、使用者は複数のカラーフィルタのなかから所望のものを選択して用いることを特徴とするヒーリングライトである。
【００１１】
請求項３に記載した考案は、請求項１に記載したヒーリングライトであって、前記絵柄フィルタは、耐熱性プレートからなり、絵柄部分がスリットとして構成されることを特徴とするものである。
【００１２】
請求項４に記載した考案は、請求項１に記載したヒーリングライトであって、前記絵柄フィルタは、前記電球型白色ランプの先端にかぶせる固定部材を有しており、前記電球型白色ランプに着脱自在であることを特徴とするものである。
【００１３】
請求項５に記載した考案は、請求項４に記載したヒーリングライトであって、前記絵柄フィルタは、複数設けられ、使用者は所望のものを選択して用いることを特徴とするものである。
【００１４】
請求項６に記載した考案は、請求項４に記載したヒーリングライトであって、前記電球型白色ランプは、市販のものを用いており、使用者が必要に応じて交換できることを特徴とするものである。
【００１５】
請求項７に記載した考案は、請求項１，２，３，４，５又は６のいずれか一に記載したヒーリングライトであって、前記ランプ受けの近傍に前記電球型白色ランプに電源を供給するオンオフスイッチを設けたことを特徴とするものである。
【００１６】
請求項８に記載した考案は、請求項１，２，３，４，５又は６のいずれか一に記載したヒーリングライトであって、前記ランプ受けの近傍に前記電球型白色ランプに電源を供給するタイマスイッチを設けたことを特徴とするものである。
【００１７】
請求項９に記載した考案は、請求項１，２，３，４，５又は６のいずれか一に記載したヒーリングライトであって、前記電源コードは、前記フレキシブルチューブ、前記支柱、前記台座の内部を通り、前記台座から延びて家庭用コンセントに接続されることを特徴とするものである。
【００１８】
請求項１０に記載した考案は、請求項１，２，３，４，５又は６のいずれか一に記載したヒーリングライトであって、前記電源コードは、前記フレキシブルチューブ、前記支柱の内部を通り、前記支柱の台座に近い部分から延びて家庭用コンセントに接続されることを特徴とするものである。
【００１９】
請求項１１に記載した考案は、請求項１，２，３，４，５，６，７，８，９又は１０のいずれかに記載のヒーリングライトであって、前記支柱は高さを床上７０センチメートルから床上１５０センチメートルまでの間で伸縮可能なパイプにて構成されることを特徴とするものである。
【００２０】
請求項１２に記載した考案は、床に設置される台座と、該台座のほぼ中央から鉛直に立つ支柱と、該支柱の上部に設けた向きを自在に調節可能なフレキシブルチューブと、該フレキシブルチューブの先端に設けたランプ受けと、該ランプ受けに取り付けた電球型白色ランプと、該電球型白色ランプを保護するとともに光を照射口方向に導くランプカバーと、前記ランプカバーの照射口前面を覆い着脱自在に設けられたカラーフィルタと、該カラーフィルタの内側であって前記電球型白色ランプに近い側に取り付けた絵柄フィルタと、前記電球型白色ランプの電源を供給する電源コードとからなるヒーリングライトである。
【００２１】
請求項１３に記載した考案は、請求項１２に記載したヒーリングライトであって、前記カラーフィルタは、使用者が容易に着脱可能な固定具を用いて前記ランプカバーの照射口前面に固定され、使用者は複数のカラーフィルタのなかから所望のものを選択して用いることを特徴とするものである。
【００２２】
請求項１４に記載した考案は、請求項１２に記載したヒーリングライトであって、前記絵柄フィルタは、耐熱性プレートからなり、絵柄部分がスリットとして構成されることを特徴とする。
【００２３】
請求項１５に記載した考案は、請求項１２に記載したヒーリングライトであって、前記絵柄フィルタは、前記カラーフィルタに取り付ける固定部材を有しており、前記カラーフィルタに着脱自在であることを特徴とするものである。
【００２４】
請求項１６に記載した考案は、請求項１５に記載したヒーリングライトであって、前記絵柄フィルタは、複数設けられ、使用者は所望のものを選択して用いることを特徴とするものである。
【００２５】
請求項１７に記載した考案は、請求項１５に記載したヒーリングライトであって、前記電球型白色ランプは、市販のものを用いており、使用者が必要に応じて交換できることを特徴とするものである。
【００２６】
請求項１８に記載した考案は、請求項１２，１３，１４，１５，１６又は１７のいずれか一に記載したヒーリングライトであって、前記ランプ受けの近傍に前記電球型白色ランプに電源を供給するオンオフスイッチを設けたことを特徴とするものである。
【００２７】
請求項１９に記載した考案は、請求項１２，１３，１４，１５，１６又は１７のいずれか一に記載したヒーリングライトであって、前記ランプ受けの近傍に前記電球型白色ランプに電源を供給するタイマスイッチを設けたことを特徴とするものである。
【００２８】
請求項２０に記載した考案は、請求項１２，１３，１４，１５，１６又は１７のいずれか一に記載したヒーリングライトであって、前記電源コードは、前記フレキシブルチューブ、前記支柱、前記台座の内部を通り、前記台座から延びて家庭用コンセントに接続されることを特徴とするものである。
【００２９】
請求項２１に記載した考案は、請求項１２，１３，１４，１５，１６又は１７のいずれか一に記載したヒーリングライトであって、前記電源コードは、前記フレキシブルチューブ、前記支柱の内部を通り、前記支柱の台座に近い部分から延びて家庭用コンセントに接続されることを特徴とするものである。
【００３０】
請求項２２に記載した考案は、請求項１２，１３，１４，１５，１６，１７，１８，１９，２０又は２１のいずれかに記載のヒーリングライトであって、前記支柱は高さを床上７０センチメートルから床上１５０センチメートルまでの間で伸縮可能なパイプにて構成されることを特徴とするものである。
【考案の効果】
【００３１】
本考案のヒーリングライトは、上述の構成を有するから、以下の効果を有する。
【００３２】
スタンド式であるから、ある程度の高さから部屋を照らすことができる。伸縮式のスタンドの場合は、高さを変更可能である。
【００３３】
スタンドとランプ受けとをつなぐ部分にフレキシブルチューブを設けたので、照らす角度を変更可能である。寝たままで上から光を浴びる使い方も可能である。
【００３４】
ランプカバーを設けたので照射光を集光できる。
【００３５】
タイマスイッチを設けたものでは、睡眠前につけっぱなしにすることができる。
【００３６】
電球型白色ランプを光源とするので、光量の大きさが十分に確保できる。
【００３７】
カラーフィルタを十分に多数用意することにより、使用者は自分の好きな色を選択可能となる。
【００３８】
絵柄フィルタを設けたので、影絵のような演出効果がある。
【考案を実施するための最良の形態】
【００３９】
以下、図面を参照しつつ、本考案を適用した実施形態について説明する。
【００４０】
図１は、ヒーリングライトの正面図である。台座１０は、円盤状の部材である。ヒーリングライトは、台座１０を土台とする床置きのスタンドとして構成される。台座１０は、ある程度の重さをもつことがヒーリングライト全体の安定のために望ましい。また、木目調デザインを施すことにより、家具との調和を図ることができる。
【００４１】
支柱１１は、台座１０のほぼ中央から鉛直に立つものであり、例えばステンレスのパイプにより構成される。ほぼ中央としたのは、上部に設けられる電球型白色ランプ１６、ランプカバー１５、カラーフィルタ１７などの重さにより、重心が移動することを考慮して、支柱１１が台座１０と結合する部分が、台座１０の中心からややずらすことが望ましいからである。その場合には、ずらした方向と逆の方向が正面であると、使用者が意識できるように向きを示す。台座１０を円形ではなく、正方形などとすることもできる。
【００４２】
支柱１１は伸縮式とし、ヒーリングライト全体の高さが、床上７０センチメートルから床上１５０センチメートルまで調節可能とするのが望ましい。睡眠導入時の使用の場合、床にふとんを敷いて休む場合と、ベッドで休む場合との両方に対応する必要があるし、ソファなどに座って使用する場合もあるからである。後述する電球型白色ランプ１４に電源を供給するための電源コード１８は、後述するフレキシブルチューブ１２、支柱１１の内部に収納され、支柱１１の台座１０に近い部分又は台座１０の端の部分から外に出て、家庭用コンセントに接続される。伸縮を可能とすべく、電源コード１８は、支柱１１内に空間的なゆとりを設けて折り曲げられ、またはリールによる巻き取りがなされる。
【００４３】
図１は、ヒーリングライトの正面図、すなわち光の照射方向から見た図である。したがって、図１には、ランプカバー１５と、そのランプカバー１５の照射口を覆うように設けられたカラーフィルタ１７だけが見えている。照射口は、ランプカバー１５が開かれている円形の部分であり、そこから光が外に向けて照射される。
【００４４】
図２は、ヒーリングライトの側面図である。支柱１１の上端にはフレキシブルチューブ１２が設けられる。フレキシブルチューブ１２は、一般に卓上ライトスタンドなどのランプの向きを自在に変更して固定するのに用いられるものと同様のものを用いることができる。フレキシブルチューブ１２の先端（支柱１１に接続される端とは反対側の端）には、ランプ受け１３が設けられる。ランプ受け１３には、図示を省略したが電球ソケットが設けられる。その電球ソケットを市販の電球用のもの（例えばＥ２６ソケット）とすることにより、使用者が容易にランプを交換可能なものとなる。ランプ受け１３にオンオフスイッチ１９を設けて、点灯、消灯をする。さらにタイマスイッチ２０を設けることで、睡眠導入時の使用に供することができる。
【００４５】
ランプ受け１３に設けられた電球ソケットには、電球型白色ランプ１４を取り付ける。電球型白色ランプは、白熱電球、電球型白色蛍光ランプ、電球型発光ダイオード（ＬＥＤ）ランプなどを含むものであり、家庭用１００ボルト電源につないだ電球ソケットにそのまま取り付けて発光させることができるランプをいう。６０ワット程度の明るさのもので比較すると、本考案の出願時においては、白熱電球は百円前後、電球型白色蛍光ランプは千円前後、電球型発光ダイオード（ＬＥＤ）ランプは一万円前後の価格である。電球型発光ダイオード（ＬＥＤ）ランプは、発熱の少ないこと及び長寿命であることから期待され、ローコスト化が進めば本考案にはより適したランプとなると考えられる。
【００４６】
ランプカバー１５は、電球型白色ランプ１４を取り巻くように設けられ、それを保護するとともに、電球型白色ランプ１４が発する光を照射口方向に導くものである。照射口はおよそ円形に開いた、ランプカバー１５の開放部分である。ランプカバー１５は、図２にあっては、説明の便宜上透けているかのように描いたが、実際は電球型白色ランプ１４の発する光を透過せず、むしろ乱反射させて照射口へと導く。
【００４７】
カラーフィルタ１７は、ランプカバー１５の照射口を覆うように固定されるほぼ円形のフィルタであって、複数の色が準備される。例えば、赤、ピンク、オレンジ、黄色、黄緑、緑、青緑、ターコイズ、青、青紫、紫、うす紫、マゼンタの１３色を用意することができ、使用者はそのなかから、そのときの気分に応じて、あるいはガイドブックにしたがい、選択して取り付ける。それにより所望の光を浴びてカラーヒーリングを受けることができる。カラーフィルタ１７は、例えば三箇所の固定具を設けてランプカバー１５の照射口に固定する。
【００４８】
絵柄フィルタ１６は、電球型白色ランプ１４にかぶせて固定する。光源になるべく近い場所に絵柄フィルタを設けることでより鮮明な像をつくるためである。電球型白色ランプ１４が熱を持つ場合にも耐えられるように熱に耐えられる部材にて絵柄フィルタ１６を構成する。絵柄フィルタ１６を電球型白色ランプ１４にかぶせて固定するために、弾力性の材質でつくられたはさみ込み部材を例えば３個設けて実現することができる。その場合、電球型白色ランプの大きさにしたがって、絵柄フィルタ１６のはさみ込み部材の大きさを決める。
【００４９】
絵柄フィルタ１６を、カラーフィルタ１７の内側（電球型白色ランプ１４に近い側）に重ねてセットすることとする他の実施例も可能である。その場合は絵柄フィルタ１６の大きさをカラーフィルタ１７の大きさよりもやや小さいものとして両者を組み合わせてからランプカバー１５の照射口に取り付ける。絵柄フィルタ１６とカラーフィルタ１７とを組み合わせるための構造は、はめ込み式（はめ合わせてパチンと止めるもの）、スライド式（滑り込ませる溝を設けて出し入れ自在としたもの）、マグネット式（永久磁石を用いる）などが考えられる。
【００５０】
図３は、バラの絵柄を描いた絵柄フィルタを示す図である。バラの絵柄が影絵として描かれている。固定部材を描くのは省略したが、電球型白色ランプ１４を挟み込んで止める固定部材により電球型白色ランプ１４に固定される。またはカラーフィルタ１７に固定される。熱に強い材料により成形されるのが望ましい。
【００５１】
図４は、エンジェルの柄を描いた絵柄フィルタを示す図である。
【産業上の利用可能性】
【００５２】
気分転換を欲する場所、リラックスを欲する場所、睡眠への導入を必要とする場所などに設置可能である。また、病気の治療への応用の可能性がある。
【図面の簡単な説明】
【００５３】
【図１】ヒーリングライトの正面図である。
【図２】ヒーリングライトの側面図である。
【図３】バラの絵柄を描いた絵柄フィルタを示す図である。
【図４】エンジェルの絵柄を描いた絵柄フィルタを示す図である。
【符号の説明】
【００５４】
１０  台座
１１  支柱
１２  フレキシブルチューブ
１３  ランプ受け
１４  電球型白色ランプ
１５  ランプカバー
１６  絵柄フィルタ
１７  カラーフィルタ
１８  電源コード
１９  オンオフスイッチ
２０  タイマスイッチ
【図１】
0003146790.tif 000003
【図２】
0003146790.tif 000004
【図３】
0003146790.tif 000005
【図４】
0003146790.tif 000006
【手続補正書】
【提出日】平成20年9月29日(2008.9.29)
【手続補正１】
【補正対象書類名】実用新案登録請求の範囲
【補正対象項目名】全文
【補正方法】変更
【補正の内容】
【実用新案登録請求の範囲】
【請求項１】
床に設置される台座と、該台座のほぼ中央から鉛直に立つ支柱と、該支柱の上部に設けた向きを自在に調節可能なフレキシブルチューブと、該フレキシブルチューブの先端に設けたランプ受けと、該ランプ受けに取り付けた電球型白色ランプと、該電球型白色ランプを保護するとともに光を照射口方向に導くランプカバーと、前記電球型白色ランプの先端にじかに接触する絵柄フィルタと、前記ランプカバーの照射口前面を覆い着脱自在に設けられたカラーフィルタと、前記電球型白色ランプの電源を供給する電源コードとからなるヒーリングライト（登録商標）。
【請求項２】
請求項１に記載したヒーリングライト（登録商標）であって、前記カラーフィルタは、使用者が容易に着脱可能な固定具を用いて前記ランプカバーの照射口前面に固定され、使用者は複数のカラーフィルタのなかから所望のものを選択して用いることを特徴とするヒーリングライト（登録商標）。
【請求項３】
請求項１に記載したヒーリングライト（登録商標）であって、前記絵柄フィルタは、耐熱性プレートからなり、絵柄部分がスリットとして構成されることを特徴とするヒーリングライト（登録商標）。
【請求項４】
請求項１に記載したヒーリングライト（登録商標）であって、前記絵柄フィルタは、前記電球型白色ランプの先端にかぶせる固定部材を有しており、前記電球型白色ランプに着脱自在であることを特徴とするヒーリングライト（登録商標）。
【請求項５】
請求項４に記載したヒーリングライト（登録商標）であって、前記絵柄フィルタは、複数設けられ、使用者は所望のものを選択して用いることを特徴とするヒーリングライト（登録商標）。
【請求項６】
請求項４に記載したヒーリングライト（登録商標）であって、前記電球型白色ランプは、市販のものを用いており、使用者が必要に応じて交換できることを特徴とするヒーリングライト（登録商標）。
【請求項７】
請求項１，２，３，４，５又は６のいずれか一に記載したヒーリングライト（登録商標）であって、前記ランプ受けの近傍に前記電球型白色ランプに電源を供給するオンオフスイッチを設けたことを特徴とするヒーリングライト（登録商標）。
【請求項８】
請求項１，２，３，４，５又は６のいずれか一に記載したヒーリングライト（登録商標）であって、前記ランプ受けの近傍に前記電球型白色ランプに電源を供給するタイマスイッチを設けたことを特徴とするヒーリングライト（登録商標）。
【請求項９】
請求項１，２，３，４，５又は６のいずれか一に記載したヒーリングライト（登録商標）であって、前記電源コードは、前記フレキシブルチューブ、前記支柱、前記台座の内部を通り、前記台座から延びて家庭用コンセントに接続されることを特徴とするヒーリングライト（登録商標）。
【請求項１０】
請求項１，２，３，４，５又は６のいずれか一に記載したヒーリングライト（登録商標）であって、前記電源コードは、前記フレキシブルチューブ、前記支柱の内部を通り、前記支柱の台座に近い部分から延びて家庭用コンセントに接続されることを特徴とするヒーリングライト（登録商標）。
【請求項１１】
請求項１，２，３，４，５，６，７，８，９又は１０のいずれかに記載のヒーリングライト（登録商標）であって、前記支柱は高さを床上７０センチメートルから床上１５０センチメートルまでの間で伸縮可能なパイプにて構成されることを特徴とするヒーリングライト（登録商標）。
【請求項１２】
床に設置される台座と、該台座のほぼ中央から鉛直に立つ支柱と、該支柱の上部に設けた向きを自在に調節可能なフレキシブルチューブと、該フレキシブルチューブの先端に設けたランプ受けと、該ランプ受けに取り付けた電球型白色ランプと、該電球型白色ランプを保護するとともに光を照射口方向に導くランプカバーと、前記ランプカバーの照射口前面を覆い着脱自在に設けられたカラーフィルタと、該カラーフィルタの内側であって前記電球型白色ランプに近い側に取り付けた絵柄フィルタと、前記電球型白色ランプの電源を供給する電源コードとからなるヒーリングライト（登録商標）。
【請求項１３】
請求項１２に記載したヒーリングライト（登録商標）であって、前記カラーフィルタは、使用者が容易に着脱可能な固定具を用いて前記ランプカバーの照射口前面に固定され、使用者は複数のカラーフィルタのなかから所望のものを選択して用いることを特徴とするヒーリングライト（登録商標）。
【請求項１４】
請求項１２に記載したヒーリングライト（登録商標）であって、前記絵柄フィルタは、耐熱性プレートからなり、絵柄部分がスリットとして構成されることを特徴とするヒーリングライト（登録商標）。
【請求項１５】
請求項１２に記載したヒーリングライト（登録商標）であって、前記絵柄フィルタは、前記カラーフィルタに取り付ける固定部材を有しており、前記カラーフィルタに着脱自在であることを特徴とするヒーリングライト（登録商標）。
【請求項１６】
請求項１５に記載したヒーリングライト（登録商標）であって、前記絵柄フィルタは、複数設けられ、使用者は所望のものを選択して用いることを特徴とするヒーリングライト（登録商標）。
【請求項１７】
請求項１５に記載したヒーリングライト（登録商標）であって、前記電球型白色ランプは、市販のものを用いており、使用者が必要に応じて交換できることを特徴とするヒーリングライト（登録商標）。
【請求項１８】
請求項１２，１３，１４，１５，１６又は１７のいずれか一に記載したヒーリングライト（登録商標）であって、前記ランプ受けの近傍に前記電球型白色ランプに電源を供給するオンオフスイッチを設けたことを特徴とするヒーリングライト（登録商標）。
【請求項１９】
請求項１２，１３，１４，１５，１６又は１７のいずれか一に記載したヒーリングライト（登録商標）であって、前記ランプ受けの近傍に前記電球型白色ランプに電源を供給するタイマスイッチを設けたことを特徴とするヒーリングライト（登録商標）。
【請求項２０】
請求項１２，１３，１４，１５，１６又は１７のいずれか一に記載したヒーリングライト（登録商標）であって、前記電源コードは、前記フレキシブルチューブ、前記支柱、前記台座の内部を通り、前記台座から延びて家庭用コンセントに接続されることを特徴とするヒーリングライト（登録商標）。
【請求項２１】
請求項１２，１３，１４，１５，１６又は１７のいずれか一に記載したヒーリングライト（登録商標）であって、前記電源コードは、前記フレキシブルチューブ、前記支柱の内部を通り、前記支柱の台座に近い部分から延びて家庭用コンセントに接続されることを特徴とするヒーリングライト（登録商標）。
【請求項２２】
請求項１２，１３，１４，１５，１６，１７，１８，１９，２０又は２１のいずれかに記載のヒーリングライト（登録商標）であって、前記支柱は高さを床上７０センチメートルから床上１５０センチメートルまでの間で伸縮可能なパイプにて構成されることを特徴とするヒーリングライト（登録商標）。
【手続補正２】
【補正対象書類名】明細書
【補正対象項目名】全文
【補正方法】変更
【補正の内容】
【考案の詳細な説明】
【技術分野】
【０００１】
本考案は、気分転換をしたいときなどに用いるヒーリングライト（登録商標）に関する。
【背景技術】
【０００２】
特許文献１には、歯科用光源ユニットが開示されている。歯科用治療椅子の下部に設けた光源装置からの光をフレキシブルチユーブに導き、さらにコネクタを経て各種の照射具を着脱自在に取り付け、共通の光源装置からの光を、口腔内診察、光重合、消毒、歯茎治療などといった歯科治療の科目ごとに使い分けるものである。
【０００３】
特許文献２には、光線治療器が開示されている。灯体、ランプホルダ、キセノンランプ、反射鏡、多層膜コーティング式分光補正フィルタからなる。分光補正フィルタによって、キセノンランプから出る光の紫外線の２８０ｎｍの波長以下のエネルギーを完全にカットし、かつ２８０〜４００ｎｍの紫外線波長範囲、３８０〜７８０ｎｍの可視光線波長範囲および７８０〜２５００ｎｍの赤外線波長範囲における、基準太陽光の相対エネルギー分布に対するキセノン照明灯の光の相対エネルギー分布の比であるスペクトル合致度をそれぞれ、１００±３０％にしたものである。
【０００４】
特許文献３には、施療機用リフレッシュルームが開示されている。ボックス型の室内の適所にプログラムにしたがって雰囲気を形成するようにした面状ヒータ、酸素発生機構、ヒーリングライト（登録商標）などの雰囲気形成手段を設けるとともに、プログラムにしたがって人体施療部位に対する施療動作を行う施療機を室内に設置して、雰囲気形成手段における動作のプログラムと施療機における施療動作のプログラムとを互いに対応するよう構成するものである。
【０００５】
【特許文献１】特開平１０−３３５７３号公報
【特許文献２】特開２００２−２６３２０６号公報
【特許文献３】特開２００７−２０９４７９号公報
【０００６】
ヒーリングライト（登録商標）またはカラーヒーリングという概念は、アメリカ合衆国においては、ジェイコブ・リバーマン博士（眼科医）が開発したスペクトラル・レセプティブ・システム（略称ＳＲＳ）により知られている。２０色の光が発せられるものであり、１万５千人以上の人に対する身体的、心理的な治療に用いられている。「熟睡できる」、「気分が楽になる」、「強度の斜視が治った」、「乳ガンが消えた」、「視力が回復した」などの効果があるとされる。カラーヒーリングとは、色で心身の調子を整え、癒すことである。そして、ヒーリングライト（登録商標）とは、カラーヒーリングを実現するために用いるライトである。
【考案の開示】
【考案が解決しようとする課題】
【０００７】
上記ＳＲＳは、その装置を購入するにはおよそ７０万円を要するコストの高いものである。
【０００８】
本考案の考案者は、スタンド式であること、柄フィルタと色フィルタとをそれぞれ複数用意して使用者が適宜組み合わせることが簡単にできること、などの特徴をもたせることにより、安価なヒーリングライト（登録商標）ができるとの天啓を得た。本考案の目的は、安価に購入でき、簡便に用いることのできるヒーリングライト（登録商標）を提供することにある。
【課題を解決するための手段】
【０００９】
上記課題を解決すべく、請求項１に記載した考案は、床に設置される台座と、該台座のほぼ中央から鉛直に立つ支柱と、該支柱の上部に設けた向きを自在に調節可能なフレキシブルチューブと、該フレキシブルチューブの先端に設けたランプ受けと、該ランプ受けに取り付けた電球型白色ランプと、該電球型白色ランプを保護するとともに光を照射口方向に導くランプカバーと、前記電球型白色ランプの先端にじかに接触する絵柄フィルタと、前記ランプカバーの照射口前面を覆い着脱自在に設けられたカラーフィルタと、前記電球型白色ランプの電源を供給する電源コードとからなるヒーリングライト（登録商標）である。
【００１０】
請求項２に記載した考案は、請求項１に記載したヒーリングライト（登録商標）であって、前記カラーフィルタは、使用者が容易に着脱可能な固定具を用いて前記ランプカバーの照射口前面に固定され、使用者は複数のカラーフィルタのなかから所望のものを選択して用いることを特徴とするヒーリングライト（登録商標）である。
【００１１】
請求項３に記載した考案は、請求項１に記載したヒーリングライト（登録商標）であって、前記絵柄フィルタは、耐熱性プレートからなり、絵柄部分がスリットとして構成されることを特徴とするものである。
【００１２】
請求項４に記載した考案は、請求項１に記載したヒーリングライト（登録商標）であって、前記絵柄フィルタは、前記電球型白色ランプの先端にかぶせる固定部材を有しており、前記電球型白色ランプに着脱自在であることを特徴とするものである。
【００１３】
請求項５に記載した考案は、請求項４に記載したヒーリングライト（登録商標）であって、前記絵柄フィルタは、複数設けられ、使用者は所望のものを選択して用いることを特徴とするものである。
【００１４】
請求項６に記載した考案は、請求項４に記載したヒーリングライト（登録商標）であって、前記電球型白色ランプは、市販のものを用いており、使用者が必要に応じて交換できることを特徴とするものである。
【００１５】
請求項７に記載した考案は、請求項１，２，３，４，５又は６のいずれか一に記載したヒーリングライト（登録商標）であって、前記ランプ受けの近傍に前記電球型白色ランプに電源を供給するオンオフスイッチを設けたことを特徴とするものである。
【００１６】
請求項８に記載した考案は、請求項１，２，３，４，５又は６のいずれか一に記載したヒーリングライト（登録商標）であって、前記ランプ受けの近傍に前記電球型白色ランプに電源を供給するタイマスイッチを設けたことを特徴とするものである。
【００１７】
請求項９に記載した考案は、請求項１，２，３，４，５又は６のいずれか一に記載したヒーリングライト（登録商標）であって、前記電源コードは、前記フレキシブルチューブ、前記支柱、前記台座の内部を通り、前記台座から延びて家庭用コンセントに接続されることを特徴とするものである。
【００１８】
請求項１０に記載した考案は、請求項１，２，３，４，５又は６のいずれか一に記載したヒーリングライト（登録商標）であって、前記電源コードは、前記フレキシブルチューブ、前記支柱の内部を通り、前記支柱の台座に近い部分から延びて家庭用コンセントに接続されることを特徴とするものである。
【００１９】
請求項１１に記載した考案は、請求項１，２，３，４，５，６，７，８，９又は１０のいずれかに記載のヒーリングライト（登録商標）であって、前記支柱は高さを床上７０センチメートルから床上１５０センチメートルまでの間で伸縮可能なパイプにて構成されることを特徴とするものである。
【００２０】
請求項１２に記載した考案は、床に設置される台座と、該台座のほぼ中央から鉛直に立つ支柱と、該支柱の上部に設けた向きを自在に調節可能なフレキシブルチューブと、該フレキシブルチューブの先端に設けたランプ受けと、該ランプ受けに取り付けた電球型白色ランプと、該電球型白色ランプを保護するとともに光を照射口方向に導くランプカバーと、前記ランプカバーの照射口前面を覆い着脱自在に設けられたカラーフィルタと、該カラーフィルタの内側であって前記電球型白色ランプに近い側に取り付けた絵柄フィルタと、前記電球型白色ランプの電源を供給する電源コードとからなるヒーリングライト（登録商標）である。
【００２１】
請求項１３に記載した考案は、請求項１２に記載したヒーリングライト（登録商標）であって、前記カラーフィルタは、使用者が容易に着脱可能な固定具を用いて前記ランプカバーの照射口前面に固定され、使用者は複数のカラーフィルタのなかから所望のものを選択して用いることを特徴とするものである。
【００２２】
請求項１４に記載した考案は、請求項１２に記載したヒーリングライト（登録商標）であって、前記絵柄フィルタは、耐熱性プレートからなり、絵柄部分がスリットとして構成されることを特徴とする。
【００２３】
請求項１５に記載した考案は、請求項１２に記載したヒーリングライト（登録商標）であって、前記絵柄フィルタは、前記カラーフィルタに取り付ける固定部材を有しており、前記カラーフィルタに着脱自在であることを特徴とするものである。
【００２４】
請求項１６に記載した考案は、請求項１５に記載したヒーリングライト（登録商標）であって、前記絵柄フィルタは、複数設けられ、使用者は所望のものを選択して用いることを特徴とするものである。
【００２５】
請求項１７に記載した考案は、請求項１５に記載したヒーリングライト（登録商標）であって、前記電球型白色ランプは、市販のものを用いており、使用者が必要に応じて交換できることを特徴とするものである。
【００２６】
請求項１８に記載した考案は、請求項１２，１３，１４，１５，１６又は１７のいずれか一に記載したヒーリングライト（登録商標）であって、前記ランプ受けの近傍に前記電球型白色ランプに電源を供給するオンオフスイッチを設けたことを特徴とするものである。
【００２７】
請求項１９に記載した考案は、請求項１２，１３，１４，１５，１６又は１７のいずれか一に記載したヒーリングライト（登録商標）であって、前記ランプ受けの近傍に前記電球型白色ランプに電源を供給するタイマスイッチを設けたことを特徴とするものである。
【００２８】
請求項２０に記載した考案は、請求項１２，１３，１４，１５，１６又は１７のいずれか一に記載したヒーリングライト（登録商標）であって、前記電源コードは、前記フレキシブルチューブ、前記支柱、前記台座の内部を通り、前記台座から延びて家庭用コンセントに接続されることを特徴とするものである。
【００２９】
請求項２１に記載した考案は、請求項１２，１３，１４，１５，１６又は１７のいずれか一に記載したヒーリングライト（登録商標）であって、前記電源コードは、前記フレキシブルチューブ、前記支柱の内部を通り、前記支柱の台座に近い部分から延びて家庭用コンセントに接続されることを特徴とするものである。
【００３０】
請求項２２に記載した考案は、請求項１２，１３，１４，１５，１６，１７，１８，１９，２０又は２１のいずれかに記載のヒーリングライト（登録商標）であって、前記支柱は高さを床上７０センチメートルから床上１５０センチメートルまでの間で伸縮可能なパイプにて構成されることを特徴とするものである。
【考案の効果】
【００３１】
本考案のヒーリングライト（登録商標）は、上述の構成を有するから、以下の効果を有する。
【００３２】
スタンド式であるから、ある程度の高さから部屋を照らすことができる。伸縮式のスタンドの場合は、高さを変更可能である。
【００３３】
スタンドとランプ受けとをつなぐ部分にフレキシブルチューブを設けたので、照らす角度を変更可能である。寝たままで上から光を浴びる使い方も可能である。
【００３４】
ランプカバーを設けたので照射光を集光できる。
【００３５】
タイマスイッチを設けたものでは、睡眠前につけっぱなしにすることができる。
【００３６】
電球型白色ランプを光源とするので、光量の大きさが十分に確保できる。
【００３７】
カラーフィルタを十分に多数用意することにより、使用者は自分の好きな色を選択可能となる。
【００３８】
絵柄フィルタを設けたので、影絵のような演出効果がある。
【考案を実施するための最良の形態】
【００３９】
以下、図面を参照しつつ、本考案を適用した実施形態について説明する。
【００４０】
図１は、ヒーリングライト（登録商標）の正面図である。台座１０は、円盤状の部材である。ヒーリングライト（登録商標）は、台座１０を土台とする床置きのスタンドとして構成される。台座１０は、ある程度の重さをもつことがヒーリングライト（登録商標）全体の安定のために望ましい。また、木目調デザインを施すことにより、家具との調和を図ることができる。
【００４１】
支柱１１は、台座１０のほぼ中央から鉛直に立つものであり、例えばステンレスのパイプにより構成される。ほぼ中央としたのは、上部に設けられる電球型白色ランプ１６、ランプカバー１５、カラーフィルタ１７などの重さにより、重心が移動することを考慮して、支柱１１が台座１０と結合する部分が、台座１０の中心からややずらすことが望ましいからである。その場合には、ずらした方向と逆の方向が正面であると、使用者が意識できるように向きを示す。台座１０を円形ではなく、正方形などとすることもできる。
【００４２】
支柱１１は伸縮式とし、ヒーリングライト（登録商標）全体の高さが、床上７０センチメートルから床上１５０センチメートルまで調節可能とするのが望ましい。睡眠導入時の使用の場合、床にふとんを敷いて休む場合と、ベッドで休む場合との両方に対応する必要があるし、ソファなどに座って使用する場合もあるからである。後述する電球型白色ランプ１４に電源を供給するための電源コード１８は、後述するフレキシブルチューブ１２、支柱１１の内部に収納され、支柱１１の台座１０に近い部分又は台座１０の端の部分から外に出て、家庭用コンセントに接続される。伸縮を可能とすべく、電源コード１８は、支柱１１内に空間的なゆとりを設けて折り曲げられ、またはリールによる巻き取りがなされる。
【００４３】
図１は、ヒーリングライト（登録商標）の正面図、すなわち光の照射方向から見た図である。したがって、図１には、ランプカバー１５と、そのランプカバー１５の照射口を覆うように設けられたカラーフィルタ１７だけが見えている。照射口は、ランプカバー１５が開かれている円形の部分であり、そこから光が外に向けて照射される。
【００４４】
図２は、ヒーリングライト（登録商標）の側面図である。支柱１１の上端にはフレキシブルチューブ１２が設けられる。フレキシブルチューブ１２は、一般に卓上ライトスタンドなどのランプの向きを自在に変更して固定するのに用いられるものと同様のものを用いることができる。フレキシブルチューブ１２の先端（支柱１１に接続される端とは反対側の端）には、ランプ受け１３が設けられる。ランプ受け１３には、図示を省略したが電球ソケットが設けられる。その電球ソケットを市販の電球用のもの（例えばＥ２６ソケット）とすることにより、使用者が容易にランプを交換可能なものとなる。ランプ受け１３にオンオフスイッチ１９を設けて、点灯、消灯をする。さらにタイマスイッチ２０を設けることで、睡眠導入時の使用に供することができる。
【００４５】
ランプ受け１３に設けられた電球ソケットには、電球型白色ランプ１４を取り付ける。電球型白色ランプは、白熱電球、電球型白色蛍光ランプ、電球型発光ダイオード（ＬＥＤ）ランプなどを含むものであり、家庭用１００ボルト電源につないだ電球ソケットにそのまま取り付けて発光させることができるランプをいう。６０ワット程度の明るさのもので比較すると、本考案の出願時においては、白熱電球は百円前後、電球型白色蛍光ランプは千円前後、電球型発光ダイオード（ＬＥＤ）ランプは一万円前後の価格である。電球型発光ダイオード（ＬＥＤ）ランプは、発熱の少ないこと及び長寿命であることから期待され、ローコスト化が進めば本考案にはより適したランプとなると考えられる。
【００４６】
ランプカバー１５は、電球型白色ランプ１４を取り巻くように設けられ、それを保護するとともに、電球型白色ランプ１４が発する光を照射口方向に導くものである。照射口はおよそ円形に開いた、ランプカバー１５の開放部分である。ランプカバー１５は、図２にあっては、説明の便宜上透けているかのように描いたが、実際は電球型白色ランプ１４の発する光を透過せず、むしろ乱反射させて照射口へと導く。
【００４７】
カラーフィルタ１７は、ランプカバー１５の照射口を覆うように固定されるほぼ円形のフィルタであって、複数の色が準備される。例えば、赤、ピンク、オレンジ、黄色、黄緑、緑、青緑、ターコイズ、青、青紫、紫、うす紫、マゼンタの１３色を用意することができ、使用者はそのなかから、そのときの気分に応じて、あるいはガイドブックにしたがい、選択して取り付ける。それにより所望の光を浴びてカラーヒーリングを受けることができる。カラーフィルタ１７は、例えば三箇所の固定具を設けてランプカバー１５の照射口に固定する。
【００４８】
絵柄フィルタ１６は、電球型白色ランプ１４にかぶせて固定する。光源になるべく近い場所に絵柄フィルタを設けることでより鮮明な像をつくるためである。電球型白色ランプ１４が熱を持つ場合にも耐えられるように熱に耐えられる部材にて絵柄フィルタ１６を構成する。絵柄フィルタ１６を電球型白色ランプ１４にかぶせて固定するために、弾力性の材質でつくられたはさみ込み部材を例えば３個設けて実現することができる。その場合、電球型白色ランプの大きさにしたがって、絵柄フィルタ１６のはさみ込み部材の大きさを決める。
【００４９】
絵柄フィルタ１６を、カラーフィルタ１７の内側（電球型白色ランプ１４に近い側）に重ねてセットすることとする他の実施例も可能である。その場合は絵柄フィルタ１６の大きさをカラーフィルタ１７の大きさよりもやや小さいものとして両者を組み合わせてからランプカバー１５の照射口に取り付ける。絵柄フィルタ１６とカラーフィルタ１７とを組み合わせるための構造は、はめ込み式（はめ合わせてパチンと止めるもの）、スライド式（滑り込ませる溝を設けて出し入れ自在としたもの）、マグネット式（永久磁石を用いる）などが考えられる。
【００５０】
図３は、バラの絵柄を描いた絵柄フィルタを示す図である。バラの絵柄が影絵として描かれている。固定部材を描くのは省略したが、電球型白色ランプ１４を挟み込んで止める固定部材により電球型白色ランプ１４に固定される。またはカラーフィルタ１７に固定される。熱に強い材料により成形されるのが望ましい。
【００５１】
図４は、エンジェルの柄を描いた絵柄フィルタを示す図である。
【産業上の利用可能性】
【００５２】
気分転換を欲する場所、リラックスを欲する場所、睡眠への導入を必要とする場所などに設置可能である。また、病気の治療への応用の可能性がある。
【図面の簡単な説明】
【００５３】
【図１】ヒーリングライト（登録商標）の正面図である。
【図２】ヒーリングライト（登録商標）の側面図である。
【図３】バラの絵柄を描いた絵柄フィルタを示す図である。
【図４】エンジェルの絵柄を描いた絵柄フィルタを示す図である。
【符号の説明】
【００５４】
１０  台座
１１  支柱
１２  フレキシブルチューブ
１３  ランプ受け
１４  電球型白色ランプ
１５  ランプカバー
１６  絵柄フィルタ
１７  カラーフィルタ
１８  電源コード
１９  オンオフスイッチ
２０  タイマスイッチ